(57)【要約】      （修正有）【課題】ペット誘惑体の動きが変化に富んだものとなり、猫などのペットが興味を示し、かつペットのストレスと運動不足解消を図ることができるペット用玩具を提供する。【解決手段】ペット用玩具１は、使用者が把持する把持部ばね３が持ち手棒５の基部に形成され、持ち手棒５の先端部に先端ばね４が形成される。先端ばね４は線材２と連結され線材２の先端側にペット誘惑体７が保持されている。またペット誘惑体７は交換部６により別のペット誘惑体８に交換することができる。線材２は、ニッケルチタン製の超弾性ワイヤーで構成されている。また、把持部ばね３と先端ばね４は、金属でできており同じく弾性を有する。これら３点の弾性効果が連動し合い、把持部３を持ちペット誘惑体７を揺動した際にペット誘惑体７が複雑で変化に富んだ動きになりペットを効果的にじゃらす事ができる。【選択図】図１
0003233074.tif 000002
【実用新案登録請求の範囲】
【請求項１】
持ち手棒（５）の基部に使用者が把持する把持部ばね（３）、持ち手棒（５）の先端側に先端ばね（４）が形成され、線材（２）の基部が先端ばね（４）に保持されて、線材（２）の先端側にペット誘惑体（７）を保持することを特徴とするペット用玩具。
【請求項２】
前記ペット誘惑体（７）に天然の羽根が利用され、またペット誘惑体（８）にはポリエチレン不織布が利用されており、双方は交換部（６）により簡単に交換することができる事を特徴とする請求項１に記載のペット用玩具。
【請求項３】
前記線材（２）は、ニッケルチタン製の超弾性ワイヤーにより構成されていることを特徴とする請求項１〜２のいずれかに記載のペット用玩具。
【請求項４】
前記の把持部ばね（３）と先端ばね（４）は、ステンレスなどの金属で構成されることを特徴とする請求項１〜３のいずれかに記載のペット用玩具。
【考案の詳細な説明】
【技術分野】
【０００１】
本考案は、猫等のペットを遊ばせるためのペット用玩具に関するものである。
【背景技術】
【０００２】
猫、犬等のペットを遊ばせるためのペット用玩具として、ペットが興味を持ちそうな形状のペット誘惑体をペットの前で動かして、じゃれつかせるようにしたものがある。この種の従来のペット用玩具は、鉄製の針金などの線材の基部に把持部を形成すると共に、線材の先端部にペット誘惑体を取付けていた（例えば特許文献１）。
【先行技術文献】
【特許文献】
【０００３】
【特許文献１】実用新案登録第３１５５７２９号公報
【考案の概要】
【考案が解決しようとする課題】
【０００４】
さて、猫（大きくはネコ科の哺乳類）の習性、特性を考えた場合、猫は素早く不規則に動くものに反応し、興味を示し捕獲しようとする習性がある。また猫の五感で最も優れているのは聴覚であることが知られている。そのため、猫は「カサカサ」といったような音には狩猟本能を刺激され敏感に反応する。
【０００５】
このような特性を生かしたペット用玩具であれば、猫などの小動物は、非常に興味を示しじゃれつくと思われる。しかしながら、特許文献１が開示するペット用玩具は弾性が特にない棒状の物に把持部と一般的な針金の線材を取り付けてその線材にペット誘惑体を付けていたので、線材の把持部を持って線材を揺動および振動させても、ペット誘惑体の動きが単調で変化が少なくて意外性が欠けるため、ペットがすぐに飽きてしまうことがあった。
【０００６】
本考案は上記問題点に鑑み、把持部を持って線材を揺動および振動させた場合に、ペット誘惑体の動きが複雑で変化に富んだものとなり、ペットが飽きにくく十分にじゃれつかせることができ、かつペットのストレスと運動不足解消を図ることができるペット用玩具を提供することを目的としている。
【課題を解決するための手段】
【０００７】
本考案における課題解決のための具体的手段は、次の通りである。
線材２にニッケルチタン製の超弾性ワイヤーを用いる。持ち手棒５の基部に把持部ばね３が先端部には先端ばね４が形成される。この２つは、弾性があるため、持ち手棒５を揺動および振動させた時に、線材２の超弾性ワイヤーの超弾性効果と連動し合いペット誘惑体７の動きをより複雑で変化に富む効果を生むことができる。またペット誘惑体７を交換部６でペット誘惑体８（カサカサと音がする素材）へ簡単に交換する事ができる。これらは刺激に飽き易いペットにとって非常に有効である。
【考案の効果】
【０００８】
本考案によれば、線材に超弾性ワイヤーを用いる事と、持ち手棒の基部と先端にばねを用いる事で持ち手棒の把持部を持って線材を揺動および振動させた時にペット誘惑体の動きが複雑で変化に富んだものにとなり、ペットを飽きさせずに十分にじゃれつかせる事ができ、ひいては、ペットのストレスと運動不足の解消を図ることが可能となる。
【図面の簡単な説明】
【０００９】
【図１】本考案にかかるペット用玩具の全体を示した図である。
【図２】本考案にかかるペット用玩具の使用態様を示した図である。
【考案を実施するための形態】
【００１０】
把持部を軽く手に持ち、持ち手棒を揺動および振動させることにより線材の超弾性ワイヤーにつながれたペット誘惑体が複雑で変化に富んだ動きで揺動および振動しペットを効果的にじゃらす事ができる。またペット誘惑体は交換部で他の種類のペット誘惑体へ簡単に交換可能である。
【実施例】
【００１１】
以下、本考案の実施形態を図面に基づいて説明する。また、本考案のペット用玩具を用いるペットとして「猫」を例示して説明するが、ペットは猫に限定されず、様々な動物が想定される。
図１に示すように、本考案のペット用玩具１は、所謂「猫じゃらし」といわれるものであり、使用者Ｍが把持する把持部ばね３と、把持部ばね３と連結する持ち手棒５と持ち手棒５の先端に先端ばね４により連結され、ペット誘惑体７とをつなぐ線材２を有している。
【００１２】
図１は本考案の実施形態を示している。図２は本考案の使用態様を示している。図１及び図２において、猫等のペットをじゃらすペット用玩具１は、木製の持ち手棒５の基端部に金属製のばねで構成される把持部ばね３が設けられている。また持ち手棒の先端部には、同じく金属製のばねで構成される先端ばね４が設けられている。また先端ばね４に接続するニッケルチタン製の超弾性ワイヤーにより構成された線材２と、線材２の先端部に設けられたペット誘惑体７と交換用ペット誘惑体８で形成されている。
【００１３】
把持部ばね３は、鉄やステンレスなどからできた可撓性と弾性を備えた長さ約１２ｃｍのばねであり、把持部ばね３の断面形状は、直径約３ｃｍの断面円形であり、使用者Ｍが把持および操作しやすい形状に成形されている。把持部ばね３の基端部と上端部の内径は、持ち手棒５の外径約８ｍｍとほぼ同じ大きさに成形されており、この二つの箇所に持ち手棒５を通す事で把持部ばね３は、持ち手棒５に固定され、把持部ばね３の基端部と上端部以外の把持部ばね３は可撓性と弾性を維持しなめらかな操作性を使用者Ｍに与える事ができる。
【００１４】
持ち手棒５の先端には、長さ約６ｃｍの先端ばね４の基底部が把持部ばね３と同様の方法で取り付けられている。先端ばね４も把持部ばね３と同様に可撓性と弾性を有する。先端ばね３の上端部には、長さ約７０ｃｍの線材２がで取り付けられている。線材２は、ニッケルチタン製の超弾性ワイヤーで構成させており、その外側は熱収縮チューブに覆われている。
【００１５】
線材２の先端部は、交換部６が取り付けられている。交換部６は、ペット誘惑体７とペット誘惑体８を交換できる機構となっている。
【００１６】
このように、本考案のペット用玩具１では、ペット誘惑体７が生き物を連想させるように複雑で変化に富んだ動きをするため、猫Ｃは、本考案のペット用玩具１に非常に興味を示し、ペット誘惑体７にじゃれつくことになって、飽きにくく効果的に遊ぶことができる。ひいては、本実施形態のペット用玩具１により、猫Ｃの運動不足とストレス解消を図ることが可能となる。
【００１７】
本実施形態の説明において、ペットとして猫Ｃを例示しているが、他の動物、例えば小型犬やフェレットなどに、本考案のペット用玩具１を使用しても何ら問題ない。
【産業上の利用可能性】
【００１８】
以上のように本考案にかかるペット用玩具は、ペットのストレスと運動不足解消に貢献し、飼い主とペットとの良好なコミュニケーションを促進するので有用である。
【符号の説明】
【００１９】
１  ペット用玩具
２  線材
３  把持部ばね
４  先端ばね
５  持ち手棒
６  交換部
７  ペット誘惑体
８  ペット誘惑体
９  ストラップ
Ｃ  猫
Ｍ  使用者
【図１】
0003233074.tif 000003
【図２】
0003233074.tif 000004